(57)【要約】【課題】被貼付物を傷付けることなく、該被貼付物から貼付物を除去することができる貼付物除去装置を提供する。【解決手段】貼付物除去装置１０は、粘着剤によって外装カバー１に貼付された貼付物２を切削して除去するものであり、ハウジング４と、ハウジング４の先端に設けられた回転刃１２であって円柱の外周面に複数の刃１２ｂが設けられ、前記円柱の軸Ｐを中心として回転する回転刃１２と、回転刃１２の軸Ｐ方向の両端に配置された回転刃１２の貼付物２への切込み量を規制する一対の規制部材１１と、回転刃１２に接するように回転刃１２の軸Ｐに平行に配置された該回転刃１２の表面を清掃する清掃部材と、が設けられている。【選択図】図１
2012115804.tif 000002
【特許請求の範囲】
【請求項１】
粘着剤によって貼付された貼付物を切削して除去する貼付物除去装置において、
（イ）ハウジングと、
（ロ）前記ハウジングの先端に設けられた回転刃と、
（ハ）前記回転刃の軸方向の両端に配置された前記回転刃の前記貼付物への切込み量を規制する一対の規制部材と、
（ニ）前記回転刃に接するように前記回転刃の軸に平行に配置された該回転刃の表面を清掃する清掃部材と、
が設けられていることを特徴とする貼付物除去装置。
【請求項２】
前記回転刃における各刃の先端と前記一対の規制部材の先端との相対的な位置関係を微調整する調整機構がさらに設けられていることを特徴とする請求項１に記載の貼付物除去装置。
【請求項３】
前記回転刃における各刃が該回転刃の軸に対して傾斜して設けられていることを特徴とする請求項１または請求項２に記載の貼付物除去装置。
【請求項４】
前記回転刃の軸方向の中央部が軸方向の両端部よりも突出するように、該回転刃における各刃の先端が円弧状に形成されていることを特徴とする請求項１ないし３のいずれか１項に記載の貼付物除去装置。
【請求項５】
前記清掃部材がブラシローラとされていることを特徴とする請求項１ないし４のいずれか１項に記載の貼付物除去装置。
【請求項６】
前記ブラシローラに取り付けられたプーリーの直径が、前記回転刃に取り付けられたプーリーの直径よりも小さく形成され、かつ、これら二つのプーリーに単一のベルトが掛けられることにより、前記ブラシローラの回転周速度が前記回転刃の回転周速度より速くなるように設けられ、
前記ブラシローラの回転方向が前記回転刃と逆方向となるように設けられている
ことを特徴とする請求項５に記載の貼付物除去装置。
【請求項７】
前記清掃部材に洗浄液を供給する供給手段がさらに設けられていることを特徴とする請求項１ないし６のいずれか１項に記載の貼付物除去装置。
【請求項８】
前記回転刃と該回転刃を駆動する駆動装置との駆動伝達手段が、ゴムベルトとされていることを特徴とする請求項１ないし７のいずれか１項に記載の貼付物除去装置。
【請求項９】
前記回転刃の各刃が金属材料で構成されていることを特徴とする請求項１ないし８のいずれか１項に記載の貼付物除去装置。
【請求項１０】
前記回転刃の各刃が軟質樹脂材料で構成されていることを特徴とする請求項１ないし８のいずれか１項に記載の貼付物除去装置。
【発明の詳細な説明】
【技術分野】
【０００１】
本発明は、粘着剤によって被貼付物に貼付された貼付物を切削して除去する貼付物除去装置に関し、例えば、電子機器製品、家庭電気製品、事務機器等を構成する部品でリユース、リサイクル対象となる部品、即ち被貼付物、に貼付されたラベルやステッカー、即ち貼付物、を除去するものに関する。
【背景技術】
【０００２】
近年、地球環境保護意識の高まりにより、従来は廃棄していた使用済み製品を回収し資源種類ごとに分別してマテリアルリサイクル(以下、リサイクルと言う。)したり、部品の一部を再使用（以下、リユースと言う。）するといった動きが多く見られるようになってきた。例えば、電子機器製品、家庭電気製品、事務機器製品には、主に合成樹脂製の外装カバーが設けられており、これら外装カバーの多くがリサイクル、リユースの対象となっている。しかしながら、製品回収時点では、前記外装カバー等の被貼付物には、製品出荷時点から元々貼られていたラベルやユーザー先で貼られたラベル等の貼付物が残っていて、リサイクル、リユースを阻害する要因になっている。
【０００３】
また、上述したリサイクル、リユース阻害の問題に対応する従来技術として、特許文献１，２が公知である。
【０００４】
上記特許文献１（特開２００５−５８８７８）には、研磨作用があるベルト状、または、円盤形状の摺擦部材で摺擦して外装部材表面のラベルや汚れを除去する外装部材の外観再生工具及び装置が開示されている。
【０００５】
上記特許文献２（特開平９−３０４８８７）には、レンズ付きフィルムカメラのリユースにおいて、ラベルが貼付されたフィルムケースを支持体により保持し、ラベルの端部をチャックで把持してラベルを引っ張り剥がすラベル剥離方法及び装置が開示されている。
【発明の概要】
【発明が解決しようとする課題】
【０００６】
しかしながら、上記特許文献１，２に開示された従来技術においては、以下に示す問題があった。
【０００７】
即ち、特許文献１においては、研磨作用がある摺擦部材にて摺擦することで外装部材に貼付されたラベルを研磨して除去しているが、この方法では摺擦部材の切込み量を規制していないので、ラベルを完全に除去しようとした場合、外装部材表面に研磨剤によるキズを付けてしまう恐れがあるという問題があった。また、前記外装部材表面のキズは部品リユースの場合には、製品の外観品質を低下させ商品価値の低下につながるものであり好ましくないという問題があった。
【０００８】
また、特許文献２においては、剥離装置のチャックが把持可能なところまでラベルの端部を一様に剥がすことが困難であり、さらに、ラベルの状態によっては剥がし残りが生ずる恐れがあるという問題があった。また、前記ラベルの剥がし残りは、マテリアルリサイクルにおいて不純物が混入することになり、品質低下につながるという問題があった。
【０００９】
そこで、本発明は、被貼付物を傷付けることなく、該被貼付物から貼付物を除去することができる貼付物除去装置を提供することを目的としている。
【課題を解決するための手段】
【００１０】
上記目的を達成するために、請求項１に記載された発明は、粘着剤によって貼付された貼付物を切削して除去する貼付物除去装置において、（イ）ハウジングと、（ロ）前記ハウジングの先端に設けられた回転刃と、（ハ）前記回転刃の軸方向の両端に配置された前記回転刃の前記貼付物への切込み量を規制する一対の規制部材と、（ニ）前記回転刃に接するように前記回転刃の軸に平行に配置された該回転刃の表面を清掃する清掃部材と、が設けられていることを特徴とする貼付物除去装置である。
【００１１】
請求項２に記載された発明は、請求項１に記載された発明において、前記回転刃における各刃の先端と前記一対の規制部材の先端との相対的な位置関係を微調整する調整機構がさらに設けられていることを特徴とするものである。
【００１２】
請求項３に記載された発明は、請求項１または請求項２に記載された発明において、前記回転刃における各刃が該回転刃の軸に対して傾斜して設けられていることを特徴とするものである。
【００１３】
請求項４に記載された発明は、請求項１ないし３のいずれか１項に記載された発明において、前記回転刃の軸方向の中央部が軸方向の両端部よりも突出するように、該回転刃における各刃の先端が円弧状に形成されていることを特徴とするものである。
【００１４】
請求項５に記載された発明は、請求項１ないし４のいずれか１項に記載された発明において、前記清掃部材がブラシローラとされていることを特徴とするものである。
【００１５】
請求項６に記載された発明は、請求項５に記載された発明において、前記ブラシローラに取り付けられたプーリーの直径が、前記回転刃に取り付けられたプーリーの直径よりも小さく形成され、かつ、これら二つのプーリーに単一のベルトが掛けられることにより、前記ブラシローラの回転周速度が前記回転刃の回転周速度より速くなるように設けられ、前記ブラシローラの回転方向が前記回転刃と逆方向となるように設けられていることを特徴とするものである。
【００１６】
請求項７に記載された発明は、請求項１ないし６のいずれか１項に記載された発明において、前記清掃部材に洗浄液を供給する供給手段がさらに設けられていることを特徴とするものである。
【００１７】
請求項８に記載された発明は、請求項１ないし７のいずれか１項に記載された発明において、前記回転刃と該回転刃を駆動する駆動装置との駆動伝達手段が、ゴムベルトとされていることを特徴とするものである。
【００１８】
請求項９に記載された発明は、請求項１ないし８のいずれか１項に記載された発明において、前記回転刃の各刃が金属材料で構成されていることを特徴とするものである。
【００１９】
請求項１０に記載された発明は、請求項１ないし８のいずれか１項に記載された発明において、前記回転刃の各刃が軟質樹脂材料で構成されていることを特徴とするものである。また、本発明において最適な前記軟質樹脂材料としては、メラミンフォームやウレタンゴム等が挙げられる。
【発明の効果】
【００２０】
請求項１，５に記載された発明によれば、（イ）ハウジングと、（ロ）前記ハウジングの先端に設けられた回転刃と、（ハ）前記回転刃の軸方向の両端に配置された前記回転刃の前記貼付物への切込み量を規制する一対の規制部材と、（ニ）前記回転刃に接するように前記回転刃の軸に平行に配置された該回転刃の表面を清掃する清掃部材と、が設けられているので、被貼付物を傷付けることなく該被貼付物から貼付物を除去することができ、さらに、回転刃の表面に付着した貼付物の破片や粘着剤による該回転刃の切れ味低下を防止することができる貼付物除去装置を提供することができる。
【００２１】
請求項２に記載された発明によれば、前記回転刃における各刃の先端と前記一対の規制部材の先端との相対的な位置関係を微調整する調整機構がさらに設けられているので、被貼付物の材質や除去する貼付物の厚み等に応じて、回転刃における各刃の先端と一対の規制部材の先端との相対的な位置関係を微調整することができ、そのために、被貼付物の材質や除去する貼付物の厚み等が変わっても残渣を残すことなく、また、被貼付物を傷付けることなく該被貼付物から貼付物を除去することができる貼付物除去装置を提供することができる。
【００２２】
請求項３に記載された発明によれば、前記回転刃における各刃が該回転刃の軸に対して傾斜して設けられているので、貼付物を切削して除去する際に回転刃にかかる切削抵抗を軽減することができる貼付物除去装置を提供することができる。
【００２３】
請求項４に記載された発明によれば、前記回転刃の軸方向の中央部が軸方向の両端部よりも突出するように、該回転刃における各刃の先端が円弧状に形成されているので、即ち回転刃の長手方向に被貼付物の撓みに応じた曲率が設けられているので、回転刃を被貼付物へ押し当てた際の押圧力により該被貼付物が撓んでも、貼付物における回転刃の軸方向中央部に位置する部分を完全に除去することができる貼付物除去装置を提供することができる。
【００２４】
請求項６に記載された発明によれば、前記ブラシローラに取り付けられたプーリーの直径が、前記回転刃に取り付けられたプーリーの直径よりも小さく形成され、かつ、これら二つのプーリーに単一のベルトが掛けられることにより、前記ブラシローラの回転周速度が前記回転刃の回転周速度より速くなるように設けられ、前記ブラシローラの回転方向が前記回転刃と逆方向となるように設けられているので、このブラシローラが回転刃によって損傷することを防止でき、そのために、回転刃の表面に付着した貼付物の破片や粘着剤を清掃する機能を持続させることができる貼付物除去装置を提供することができる。
【００２５】
請求項７に記載された発明によれば、前記清掃部材に洗浄液を供給する供給手段がさらに設けられているので、回転刃の清掃を効果的かつ容易に行うことができる貼付物除去装置を提供することができる。
【００２６】
請求項８に記載された発明によれば、前記回転刃と該回転刃を駆動する駆動装置との駆動伝達手段が、ゴムベルトとされているので、各刃への異物噛み込み等によって回転刃にかかる過大負荷により本貼付物除去装置が破損することを回避でき、そのために、貼付物除去作業時の安全性を確保することができる貼付物除去装置を提供することができる。
【００２７】
請求項９に記載された発明によれば、前記回転刃の各刃が金属材料で構成されているので、被貼付物の材質が金属であっても樹脂であっても、また、貼付物の材質が紙やビニールであっても、これら貼付物を良好に除去することができる貼付物除去装置を提供することができる。
【００２８】
請求項１０に記載された発明によれば、前記回転刃の各刃が軟質樹脂材料で構成されているので、取扱いでの安全性が高く、かつ、取扱いが容易な貼付物除去装置を提供することができる。
【図面の簡単な説明】
【００２９】
【図１】本発明の第１の実施形態にかかる貼付物除去装置を示す斜視図であり、該貼付物除去装置によって被貼付物に貼付された貼付物を除去する様子を示す図である。
【図２】図１に示された貼付物除去装置における回転刃と該回転刃の切込み量を規制する規制部材との位置関係を示す平面図である。
【図３】図１中のＤ−Ｄ線に沿った断面図である。
【図４】図１に示された貼付物除去装置における回転刃及び清掃部材を回転させるための駆動機構を示す平面図である。
【図５】図１に示された貼付物除去装置における規制部材の位置を微調整する調整機構を示す斜視図である。
【図６】図５に示された調整機構のＢ矢視図である。
【図７】図５中のＥ−Ｅ線に沿った断面図である。
【図８】図２に示された規制部材の先端位置を、調整機構により、回転刃における各刃の先端から僅かに突出させた状態を示す平面図である。
【図９】本発明の第２の実施形態にかかる貼付物除去装置における回転刃を示す平面図である。
【図１０】本発明の第３の実施形態にかかる貼付物除去装置における回転刃を示す平面図である。
【図１１】本発明の第４の実施形態にかかる貼付物除去装置における回転刃の分解図である。
【発明を実施するための形態】
【００３０】
（第１の実施形態）
本発明の第１の実施形態にかかる貼付物除去装置を、図１〜８を参照して説明する。
【００３１】
図１に示す本発明の貼付物除去装置１０は、粘着剤によって被貼付物の表面に貼付された貼付物を切削して除去する装置である。また、前記「被貼付物」とは、電子機器製品、家庭電気製品、事務機器等を構成する、リユースまたはリサイクルの対象となる外装カバー１であり、前記「貼付物」とは、ラベル２である。
【００３２】
この貼付物除去装置１０には、図１，３，４に示すように、ハウジング４と、ハウジング４の長手方向先端に設けられた回転刃１２と、回転刃１２の軸Ｐ方向の両端に配置された回転刃１２のラベル２への切込み量を規制する一対の規制部材１１と、回転刃１２に接するように回転刃１２の軸Ｐに平行に配置された回転刃１２の表面を清掃する清掃部材２０と、清掃部材２０に洗浄液を供給する供給手段２１と、回転刃１２における各刃１２ｂの先端と一対の規制部材１１の先端との相対的な位置関係を微調整する調整機構５と、回転刃１２及び清掃部材２０を回転させるための駆動機構と、が設けられている。また、前記「清掃部材」は、ブラシローラ２０で構成されている。また、前記「供給手段」は、チューブ２１で構成されている。
【００３３】
上記回転刃１２は、円柱の外周面に複数の刃１２ｂが設けられ、前記円柱の軸Ｐを中心として回転するものである。この回転刃１２は、ハウジング４に回転可能に支持されており、図３に示すように、その半分がハウジング４の開口部４ａから外部に露出している。このような回転刃１２は、回転することによりラベル２を切削して除去する。
【００３４】
また、上記回転刃１２は、図２に示すように、各刃１２ｂが回転刃１２の軸Ｐに対して傾斜して設けられている。
【００３５】
このように、本発明によれば、回転刃１２における各刃１２ｂが該回転刃１２の軸Ｐに対して傾斜して設けられているので、ラベル２を切削して除去する際に回転刃１２にかかる切削抵抗を軽減することができる。
【００３６】
さらに、上記回転刃１２は、各刃１２ｂを含んだ全体が金属材料で構成されている。
【００３７】
このように、本発明によれば、回転刃１２の各刃１２ｂが金属材料で構成されているので、外装カバー１の材質が金属であっても樹脂であっても、また、ラベル２の材質が紙やビニールであっても、これらラベル２を良好に除去することができる。
【００３８】
上記一対の規制部材１１は、それぞれ、外装カバー１の表面に当接する規制部材本体部１１ｃと、規制部材本体部１１ｃの後端面から凹に形成されたネジ取付孔１１ａと、規制部材本体部１１ｃの後端面から板状に突出したガイド部１１ｂと、で構成されている。また、前記「規制部材本体部１１ｃの後端面」とは、規制部材本体部１１ｃにおける外装カバー１に当接する先端部分と反対側の面を意味している。前記ネジ取付孔１１ａは、図７に示すように、後述する調整ネジ３１の先端部分が埋め込み可能な凹状に形成されており、その内面に調整ネジ３１が螺合可能な雌ネジが切られている。このネジ取付孔１１ａ及びガイド部１１ｂは、後述する調整機構５を構成している。このような一対の規制部材１１は、図１に示すように、規制部材本体部１１ｃの先端が外装カバー１の表面に当接することにより、回転刃１２のラベル２への切込み量を規制する。
【００３９】
また、本発明の貼付物除去装置１０においては、図２に示すように、各規制部材１１の先端位置：Ａ面と回転刃１２の先端位置：Ａ’面とを同一面とすることを基本設定としている。また、図２中の一点鎖線は、回転刃１２を外装カバー１に当接させた際のラベル２の位置を示している。本発明の貼付物除去装置１０においては、このような位置関係を基本設定とすることにより、回転刃１２の各刃１２ｂがラベル２の厚み以上切り込むことを防止でき、そのために、貼付物除去装置１０を一箇所で停止していた場合においても外装カバー１を傷付けることを防止できる。
【００４０】
このように、本発明によれば、貼付物除去装置１０に、回転刃１２のラベル２への切込み量を規制する一対の規制部材１１が設けられているので、外装カバー１の表面を傷付けることなく該外装カバー１からラベル２を除去することができる。
【００４１】
上記ブラシローラ２０は、図３に示すように、ハウジング４の内部に収容されており、該ハウジング４に回転可能に支持されている。即ち、ブラシローラ２０は、回転刃１２におけるハウジング４内に位置付けられた部分に接するように配置されている。また、ブラシローラ２０は、回転周速度が回転刃１２の回転周速度より速く、かつ、回転方向が回転刃１２と逆方向となるように設けられている。
【００４２】
このように、本発明によれば、貼付物除去装置１０に、回転刃１２の表面を清掃するブラシローラ２０が設けられているので、回転刃１２の表面、即ち各刃１２ｂ、に付着したラベル２の破片や粘着剤による該回転刃１２の切れ味低下を防止することができる。さらに、ブラシローラ２０の回転周速度が回転刃１２の回転周速度より速く、かつ、ブラシローラ２０の回転方向が回転刃１２と逆方向であるので、このブラシローラ２０が回転刃１２によって損傷することを防止でき、そのために、回転刃１２の表面に付着したラベル２の破片や粘着剤を清掃する機能を持続させることができる。
【００４３】
上記チューブ２１は、ハウジング４の内部に連通するように設けられている。このチューブ２１は、ブラシローラ２０の近傍に洗浄液を供給する。
【００４４】
このように、本発明によれば、貼付物除去装置１０には、ブラシローラ２０に洗浄液を供給するチューブ２１が設けられているので、回転刃１２の清掃を効果的かつ容易に行うことができる。
【００４５】
上記調整機構５は、回転刃１２の軸Ｐ方向の両側、即ちハウジング４の幅方向の両側面、にそれぞれ設けられており、それぞれ別々に一対の規制部材１１の位置を調整するように設けられている。これら調整機構５各々は、図５〜７に示すように、前述した規制部材１１に設けられたネジ取付孔１１ａ及びガイド部１１ｂと、ハウジング４の前記各側面に設けられた側部ハウジング３０と、この側部ハウジング３０及びネジ取付孔１１ａに埋め込まれた調整ネジ３１と、側部ハウジング３０における規制部材１１と逆側の端面に取り付けられ、調整ネジ３１が側部ハウジング３０から抜けることを防止する蓋３０ａと、調整ネジ３１の緩み止めを行うナット３２と、で構成されている。また、前記側部ハウジング３０には、規制部材１１側の端面から凹に形成されたガイド溝３０ｂが設けられている。このガイド溝３０ｂには、前記ガイド部１１ｂが図７中の矢印Ｆ方向に沿って左右方向に移動可能に収容されている。
【００４６】
上記構成の調整機構５においては、側部ハウジング３０に埋め込まれた調整ネジ３１を回転させることで規制部材１１の位置を調整することができる。即ち、調整機構５は、調整ネジ３１の頭部３１ｂを一方向に回すことによりネジ部３１ａがネジ取付孔１１ａの奥側に進入して規制部材１１が側部ハウジング３０に近付き、頭部３１ｂを前記一方向と逆方向に回すことによりネジ部３１ａがネジ取付孔１１ａの開口部側に移動して規制部材１１が側部ハウジング３０から離れる。即ち、規制部材１１は、図７中の矢印Ｆ方向に沿って左右方向に移動可能に設けられている。また、このように規制部材１１が移動する際は、ガイド部１１ｂがガイド溝３０ｂに沿って移動することにより、該規制部材１１の移動方向が確実に規定される。また、規制部材１１の位置調整開始時には緩み止めナット３２を緩めてから調整を行い、調整後に再度緩み止めナット３２を閉めこむことで調整ネジ３１の緩みを防止することができる。
【００４７】
このように、本発明によれば、貼付物除去装置１０に、回転刃１２における各刃１２ｂの先端と一対の規制部材１１の先端との相対的な位置関係を微調整する調整機構５が設けられているので、外装カバー１の材質や除去するラベル２の厚み等に応じて、回転刃１２における各刃１２ｂの先端と一対の規制部材１１の先端との相対的な位置関係を微調整することができ、そのために、外装カバー１の材質や除去するラベル２の厚み等が変わっても残渣を残すことなく、また、外装カバー１の表面を傷付けることなく該外装カバー１からラベル２を除去することができる。
【００４８】
また、図８は、図２に示された規制部材１１の先端位置を、調整機構５により、回転刃１２における各刃１２ｂの先端から僅かに突出させた状態を示す平面図である。この図示例においては、規制部材１１の先端位置：Ａ面と回転刃１２の先端位置：Ａ’’面とに厚手のラベル２ａの半分の厚さの段差が付けられている。このように、貼付物除去装置１０においては、除去するラベルの材質が硬い材質であったり、厚みがあって一度に除去することが難しい場合には、規制部材１１の先端位置を回転刃１２の先端位置よりも突出させた設定とすることが有効である。
【００４９】
回転刃１２及び清掃部材２０を回転させるための上記駆動機構は、図４に示すように、「駆動装置」であるモータ１５と、モータ１５に取り付けられたギヤ１８と、ギヤ１８の回転が伝達されて駆動するギヤプーリー１７と、回転刃１２に取り付けられたプーリー１２ａと、ブラシローラ２０に取り付けられたプーリー２０ａと、「駆動伝達手段」である環状のゴムベルト１６と、で構成されている。これら部品で構成された駆動機構は、ハウジング４内に収容されている。このような駆動機構は、モータ１５及びギヤ１８の回転力が直接ギヤプーリー１７に伝わり、ギヤプーリー１７の回転力がゴムベルト１６によって回転刃１２に取り付けられたプーリー１２ａ及びブラシローラ２０に取り付けられたプーリー２０ａに伝わることで、回転刃１２及び清掃部材２０を回転させる。
【００５０】
また、貼付物除去装置１０においては、ブラシローラ２０に取り付けられたプーリー２０ａの直径が、回転刃１２に取り付けられたプーリー１２ａの直径よりも小さく形成され、かつ、これら二つのプーリー２０ａ，１２ａに単一のゴムベルト１６が掛けられることにより、ブラシローラ２０の回転周速度が回転刃１２の回転周速度より速くなるように設けられている。具体的には、ブラシローラ２０の回転周速度が回転刃１２の回転周速度の１．８倍に設定されている。また、ブラシローラ２０に取り付けられたプーリー２０ａがゴムベルト１６の外周面に接するように設けられ、回転刃１２に取り付けられたプーリー１２ａがゴムベルト１６の内周面に接するように設けられていることにより、ブラシローラ２０及び回転刃１２が互いに逆方向に回転するようになっている。また、本発明においては、ブラシローラと回転刃の回転周速度が、(ブラシローラ）＞（回転刃）であれば良いが、ブラシローラの回転周速度が回転刃の回転周速度の１．１倍〜２．０倍の範囲であることが特に好ましい。
【００５１】
このように、本発明によれば、回転刃１２と該回転刃１２を駆動するモータ１５との駆動伝達手段が、ゴムベルト１６とされているので、各刃１２ｂへの異物噛み込み等によって回転刃１２にかかる過大負荷により本貼付物除去装置１０が破損することを回避でき、そのために、貼付物除去作業時の安全性を確保することができる。
【００５２】
上述した貼付物除去装置１０は、図１に示すように、回転している状態の回転刃１２及び一対の規制部材１１を外装カバー１の表面、即ちラベル２上、に当接させて、この状態で外装カバー１の表面に沿って移動させることにより、外装カバー１の表面を傷付けることなくラベル２を除去することができる。
【００５３】
（第２の実施形態）
本発明の第２の実施形態にかかる貼付物除去装置を、図９を参照して説明する。また、図９において、前述した第１の実施形態と同一構成部分には同一符号を付して説明を省略する。
【００５４】
図９に示すように、本実施形態の貼付物除去装置１１０には、前述した回転刃１２の代わりに、各刃１２ｃが軸Ｐと平行に設けられた回転刃１１２が設けられている。電子機器製品、家庭電気製品、事務機器等において一般的に多く用いられている通常のラベルは、本実施形態の回転刃１１２で充分に除去が可能である。
【００５５】
（第３の実施形態）
本発明の第３の実施形態にかかる貼付物除去装置を、図１０を参照して説明する。また、図１０において、前述した第１，２の実施形態と同一構成部分には同一符号を付して説明を省略する。
【００５６】
図１０に示すように、本実施形態の貼付物除去装置２１０には、前述した回転刃１２の代わりに、回転刃２１２が設けられている。この回転刃２１２は、軸Ｐ方向の中央部が両端部よりも突出するように、該回転刃２１２における各刃１２ｄの先端が円弧状に形成されている。即ち、各刃１２ｄの先端には半径：ρの曲率が付けられており、回転刃２１２における軸Ｐ方向の中央部は、規制部材１１の先端位置からδだけ突出している。
【００５７】
本構成は、回転刃２１２の幅：Ｗが大きい場合に有効である。即ち、一般的に外装カバー等の被貼付物の材質は樹脂材料であることから、回転刃２１２を前記被貼付物に当接させた際の押圧力により該被貼付物が撓んで逃げてしまうことで、貼付物における回転刃２１２の軸Ｐ方向中央部に位置する部分に除去残りが発生することが有る。このような不具合に対しては、回転刃２１２の各刃１２ｄ先端に前記被貼付物の撓みに応じた曲率を付けて中央部を突出させることで除去残りの発生を防止することができる。
【００５８】
（第４の実施形態）
本発明の第４の実施形態にかかる貼付物除去装置を、図１１を参照して説明する。また、図１１において、前述した第１〜３の実施形態と同一構成部分には同一符号を付して説明を省略する。
【００５９】
図１１に示すように、本実施形態の貼付物除去装置には、前述した回転刃１２の代わりに、回転刃３１２が設けられている。この回転刃３１２は、前述した回転刃１２よりも刃幅の小さい分割回転刃４１２が複数個重ねられて、これら各分割回転刃４１２の穴部１２ｆに軸が圧入接着されて構成されたものである。また、この回転刃３１２、即ち分割回転刃４１２、は、各刃１２ｅを含んだ全体が軟質樹脂材料で構成されている。また、本発明において最適な前記軟質樹脂材料としては、メラミンフォームやウレタンゴム等が挙げられる。
【００６０】
このように、本発明によれば、回転刃３１２の各刃１２ｅが軟質樹脂材料で構成されているので、直接手で触れても怪我をすることが無く、取扱いでの安全性が高く、かつ、取り扱いが容易な貼付物除去装置を提供することができる。
【００６１】
また、本発明の貼付物除去装置は、リユース、リサイクルに限らず、新品製品の生産時において貼付位置のずれや貼り間違い等の不具合が有った貼付物であっても、容易に除去することができる。
【００６２】
なお、本発明は上記実施形態に限定されるものではない。即ち、本発明の骨子を逸脱しない範囲で種々変形して実施することができる。
【符号の説明】
【００６３】
１  外装カバー（被貼付物）
２，２ａ  ラベル（貼付物）
４  ハウジング
５  調整機構
１０，１１０，２１０  貼付物除去装置
１１  規制部材
１２，１１２，２１２，３１２  回転刃
１２ｂ  刃
１５  モータ（駆動装置）
１６  ゴムベルト（駆動伝達手段）
２０  ブラシローラ（清掃部材）
２１  チューブ（供給手段）
Ｐ  軸
【先行技術文献】
【特許文献】
【００６４】
【特許文献１】特開２００５−５８８７８号公報
【特許文献２】特開平９−３０４８８７号公報
【図１】
2012115804.tif 000003
【図２】
2012115804.tif 000004
【図３】
2012115804.tif 000005
【図４】
2012115804.tif 000006
【図５】
2012115804.tif 000007
【図６】
2012115804.tif 000008
【図７】
2012115804.tif 000009
【図８】
2012115804.tif 000010
【図９】
2012115804.tif 000011
【図１０】
2012115804.tif 000012
【図１１】
2012115804.tif 000013